(57)【要約】【課題】簡単な構成で一対の接触式スイッチを確実に同時に操作できるようにする。【解決手段】キー用開口１０から露出するキートップ１２において、一対の押し子８に対応する位置に膨出部１２ａをそれぞれ形成し、中央に膨出部１２ａよりも低く凹陥された凹陥部１２ｂを設け、この凹陥部１２ｂの中央に貫通孔１２ｃを開口する。キートップ１２に嵌合される押圧部１３に、一対の押し子８がそれぞれ当接する当接部１３ａ及び凹陥部１２ｂの貫通孔１２ｃから露出する突起部１３ｃを設ける。膨出部１２ａを押圧したときに膨出部１２ａに対応する接触式スイッチ７が操作され、突起部１３ｃを押圧したときに一対の接触式スイッチ７が同時に押圧される。【選択図】図１
2014135200.tif 000002
【特許請求の範囲】
【請求項１】
一対の接触式スイッチが設けられた回路基板と、
上記一対の接触式スイッチに対応して設けられた一対の押し子と、
上記一対の接触式スイッチに対応する位置にキー用開口を有するキャビネットと、
上記キー用開口から露出するように配置され、上記一対の押し子を押圧する操作キーとを備え、
上記操作キーは、
上記キー用開口から露出し、上記一対の押し子に対応する位置に膨出部がそれぞれ形成され、中央に該膨出部よりも低く凹陥された凹陥部が設けられ、該凹陥部の中央に貫通孔が開口されたキートップと、
上記キートップに該キートップに対して移動可能に挿入され、上記一対の押し子がそれぞれ当接する当接部及び上記凹陥部の貫通孔から露出する突起部を備える押圧部とを備え、
上記膨出部を押圧したときには該膨出部に対応する接触式スイッチが操作され、上記突起部を押圧したときに上記一対の接触式スイッチが同時に押圧されるように構成されている
ことを特徴とする携帯端末。
【請求項２】
請求項１に記載の携帯端末において、
上記当接部は、上記押し子側から見てＵ字状に凹陥されている
ことを特徴とする携帯端末。
【発明の詳細な説明】
【技術分野】
【０００１】
本発明は、一対の接触式スイッチを有する携帯端末に関するものである。
【背景技術】
【０００２】
従来より、複数の操作キーを並べた携帯端末は知られている。例えば、特許文献１では、３つの操作キーが近接して並べられ、各操作キーに膨出部を設けて押しやすくしている。
【先行技術文献】
【特許文献】
【０００３】
【特許文献１】特開２００８−９７８９５号公報
【発明の概要】
【発明が解決しようとする課題】
【０００４】
上記特許文献１では、３つの操作キーを並べて設けているが、携帯端末の側面などの小さなスペースでは、できるだけ操作キーの数を少なくするのが望ましい。そこで、一対の接触式スイッチを並べ、それぞれの接触式スイッチを押圧したときと、両方同時に押圧したときとで異なる機能を発揮させるようにすることが考えられる。この場合、１つのシーソー式キーの中央を押圧したときに一対のサイドキー用接点を一度に反応させるようにすれば、操作部を１つ減らすことができる。
【０００５】
しかしながら、両方のサドキー用接点を同時に確実に操作させるのは難しく、誤操作が発生しやすいという問題があった。
【０００６】
本発明は、かかる点に鑑みてなされたものであり、その目的とするところは、簡単な構成で一対の接触式スイッチを確実に同時に操作できるようにすることにある。
【課題を解決するための手段】
【０００７】
上記の目的を達成するために、この発明では、一対の接触式スイッチを同時に操作できるような特別な突起部をキートップの中央に設けた。
【０００８】
具体的には、第１の発明では、
一対の接触式スイッチが設けられた回路基板と、
上記一対の接触式スイッチに対応して設けられた一対の押し子と、
上記一対の接触式スイッチに対応する位置にキー用開口を有するキャビネットと、
上記キー用開口から露出するように配置され、上記一対の押し子を押圧する操作キーとを備え、
上記操作キーは、
上記キー用開口から露出し、上記一対の押し子に対応する位置に膨出部がそれぞれ形成され、中央に該膨出部よりも低く凹陥された凹陥部が設けられ、該凹陥部の中央に貫通孔が開口されたキートップと、
上記キートップに該キートップに対して移動可能に挿入され、上記一対の押し子がそれぞれ当接する当接部及び上記凹陥部の貫通孔から露出する突起部を備える押圧部とを備え、
上記膨出部を押圧したときには該膨出部に対応する接触式スイッチが操作され、上記突起部を押圧したときに上記一対の接触式スイッチが同時に押圧されるように構成されている。
【０００９】
上記の構成によると、キートップの凹陥部中央の貫通孔から突起部を突出させたので、小さなスペースにおいても、両側の膨出部を誤って押圧することなく、突起部のみを容易に押圧して押圧部によって一対の押し子を同時に押し下げて一対の接触式スイッチを同時に確実に反応させることができる。各膨出部を操作するときには、突起部は凹陥部の中央に設けられているので、突起部を誤って操作することはなく、各膨出部に対応する押し子のみ反応させて対応する接触式スイッチのみを反応させることができる。さらに突起部をキートップと別部品で構成しているので、例えば突起部のみをキートップと別の彩色を施せば、視認性を向上させて操作性をよくすることができる。
【発明の効果】
【００１０】
以上説明したように、本発明によれば、キートップの一対の膨出部間に凹陥部を設け、その中央に貫通孔を開口し、この貫通孔から押圧部の突起部を露出させるように押圧部をキートップに挿入し、突起部を押圧したときに一対の接触式スイッチが同時に押圧されるようにしたことにより、簡単な構成で一対の接触式スイッチを確実に同時に操作できる。
【図面の簡単な説明】
【００１１】
【図１】図２（ａ）のＩ−Ｉ線拡大断面図である。
【図２】本発明の実施形態に係る携帯電話機を示し、（ａ）が正面から見た斜視図であり、（ｂ）が背面から見た斜視図である。
【図３】正面側キャビネット及び操作キーの分解斜視図である。
【図４】操作キーを示し、（ａ）が正面から見た斜視図であり、（ｂ）が背面から見た斜視図である。
【図５】キートップを示し、（ａ）が正面から見た斜視図であり、（ｂ）が背面から見た斜視図である。
【図６】押圧部を示し、（ａ）が正面から見た斜視図であり、（ｂ）が背面から見た斜視図である。
【発明を実施するための形態】
【００１２】
以下、本発明の実施形態を図面に基づいて説明する。
【００１３】
図２は、本発明の実施形態に係る携帯端末としての携帯電話機１を示し、（ａ）が正面から見た斜視図であり、（ｂ）が背面から見た斜視図である。図１は、図２のＩ−Ｉ線拡大断面図である。携帯電話機１は、表面に液晶ディスプレイなどの表示部２を収容する正面側キャビネット３と、この正面側キャビネット３に結合される背面側キャビネット４と、この背面側キャビネット４を覆うリアカバー５とを備えている。
【００１４】
図３は、正面側キャビネット３及び操作キーの分解斜視図である。正面側キャビネット３の背面側には、回路基板６が収容されている。図１にも示すように、この回路基板６には、一対の接触式スイッチ７が電気的に接続されている。この一対の接触式スイッチ７に対応させて正面側キャビネット３には、一対のスイッチ用開口３ａが設けられている。この一対のスイッチ用開口３ａには、一対の接触式スイッチ７に対応して一対の押し子８が配置されている。押し子８は、例えば、板状のシリコンラバー９にインサート成形されている。
【００１５】
図１に示すように、キャビネットとしての背面側キャビネット４及びリアカバー５には、一対の接触式スイッチ７に対応する位置に長円形状のキー用開口１０が開口されている。このキー用開口１０からは、一対の押し子８を押圧する操作キー１１が露出している。
【００１６】
図４は、操作キー１１を示し、（ａ）が正面から見た斜視図であり、（ｂ）が背面から見た斜視図である。図５は、キートップを示し、（ａ）が正面から見た斜視図であり、（ｂ）が背面から見た斜視図である。図６は、押圧部を示し、（ａ）が正面から見た斜視図であり、（ｂ）が背面から見た斜視図である。操作キー１１は、キー用開口１０から露出するキートップ１２を備えている。このキートップ１２は、一対の押し子８に対応する位置に膨出部１２ａがそれぞれ形成されている。一対の膨出部１２ａの中央には、これら膨出部１２ａよりも低くなるようになだらかに凹陥された凹陥部１２ｂが設けられている。凹陥部１２ｂの中央には、長円状の貫通孔１２ｃが開口されている。キートップ１２の内部は、凹部１２ｄが形成されて空洞となっており、例えば、樹脂成形品よりなる。
【００１７】
キートップ１２の凹部１２ｄには、例えば樹脂成形品よりなる押圧部１３が挿入されている。押圧部１３は、キートップ１２に対して固定されておらず、キートップ１２とは独立して押し子８側へ移動可能となっている。押圧部１３は、一対の押し子８がそれぞれ当接する当接部１３ａが形成されている。当接部１３ａは、押し子８側から見てＵ字状に凹陥された部分よりなり、その開放した部分から組付時にスライドさせながら押し子８を挿入しやすくなっている。当接部１３ａの開放された側には、直線状の突条１３ｂが形成され、一度嵌め込まれた押し子８が抜けにくくなっている。押圧部１３の外側（図１の左側）の中央は、長円状の突起部１３ｃが形成され、この突起部１３ｃがキートップ１２の貫通孔１２ｃから露出するようになっている。例えば、押圧部１３は、キートップ１２と別の色の合成樹脂で形成されている。
【００１８】
このように構成することで、膨出部１２ａを押圧したときには、操作キー１１全体が一方に傾き、押圧された膨出部１２ａに対応する接触式スイッチ７のみが操作される。一方で、突起部１３ｃを押圧したときには、押圧部１３のみが押し下げられ、一対の接触式スイッチ７が同時に押圧される。
【００１９】
本実施形態では、以下の作用効果がある。（１）キートップ１２の凹陥部１２ｂ中央の貫通孔１２ｃから突起部１３ｃを突出させたので、小さなスペースにおいても、両側の膨出部１２ａを誤って押圧することなく、突起部１３ｃのみを容易に押圧して一対の押し子８を同時に押し下げて一対の接触式スイッチ７を同時に確実に反応させることができる。
【００２０】
各膨出部１２ａを操作するときには、突起部１３ｃは凹陥部１２ｂの中央に設けられているので、誤って突起部１３ｃを操作することはなく、各膨出部１２ａに対応する押し子８のみ反応させて対応する接触式スイッチ７のみを反応させることができる。
【００２１】
さらに突起部１３ｃをキートップ１２と別部品で構成しているので、突起部１３ｃのみをキートップ１２と別の彩色を施すことで視認性が向上し、操作性がよくなる。
【００２２】
（２）通常は、当接部は、押し子８の先端が当接する部分が円形に凹陥されているだけであるが、本実施形態では、当接部１３ａをＵ字状に凹陥した。このため、操作キー１１と押圧部１３とを嵌め込んだまま、Ｕ字状の開放された部分から押圧部１３を携帯電話機１の厚さ方向からスライドさせ、図３のようにスイッチ用開口３ａにすでに嵌め込まれた押し子８側に組み付けることができるので、組付性が格段に向上する。
【００２３】
したがって、本実施形態に係る携帯電話機１によると、キートップ１２の一対の膨出部１２ａ間に凹陥部１２ｂを設け、その中央に貫通孔１２ｃを開口し、この貫通孔１２ｃから突起部１３ｃを露出させるように押圧部１３をキートップ１２に挿入し、突起部１３ｃを押圧したときに一対の接触式スイッチ７が同時に押圧されるようにしたことにより、簡単な構成で一対の接触式スイッチ７を確実に同時に操作できる。
【００２４】
（その他の実施形態）
本発明は、上記実施形態について、以下のような構成としてもよい。
【００２５】
すなわち、上記実施形態では、携帯電話機１は、ストレートタイプの筐体を備えているが、スライド式、回転式など複数の筐体が連結されたものでもよく、その場合には、少なくともいずれかの筐体に本発明の構成を設ければよい。
【００２６】
上記実施形態では、携帯端末は、携帯電話機１としたが、ＰＨＳ（Personal Handy-phone System ）、ＰＤＡ(Personal Digital Assistant)、スマートフォン、パソコン、モバイルツール、電子辞書、電卓、ゲーム機等であってもよい。
【００２７】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００２８】
１      携帯電話機（携帯端末）
２      表示部
３      正面側キャビネット
３ａ    スイッチ用開口
４      背面側キャビネット（キャビネット）
５      リアカバー（キャビネット）
６      回路基板
７      接触式スイッチ
８      押し子
９      シリコンラバー
１０      キー用開口
１１      操作キー
１２      キートップ
１２ａ    膨出部
１２ｂ    凹陥部
１２ｃ    貫通孔
１２ｄ    凹部
１３      押圧部
１３ａ    当接部
１３ｂ    突条
１３ｃ    突起部
【図１】
2014135200.tif 000003
【図２】
2014135200.tif 000004
【図３】
2014135200.tif 000005
【図４】
2014135200.tif 000006
【図５】
2014135200.tif 000007
【図６】
2014135200.tif 000008